(57)【要約】【課題】電力供給停止状態が発生すると予測された場合、通信が遮断され送信が途切れてしまう通信エラーの発生を抑えることのできるファクシミリ装置を提供する。【解決手段】地域判定部３１は、送信相手先情報３９の新規送信先のＦＡＸ番号が、電力供給情報４０の停電対象地域に該当しないかを判定する。時間判定部３２は電力供給情報４０の停電時間から送電開始時刻に停電対象地域が停電中であるかを判定する。また、送信データ量が停電開始までに送信完了可能なサイズかを確認する。停電中、あるいは停電までに送信完了できなければ、通信制御部３５は、送信予約情報に関わらず、送信を保留する。【選択図】図２
2013118541.tif 000002
【特許請求の範囲】
【請求項１】
送信データを公衆回線を介して指定された相手先へ送信を行なうファクシミリ装置において、
電力供給が不足する地域とその開始時刻を含む電力供給情報と、相手先の地域を含む送信相手先情報と、送信開始時刻を含む送信予約情報とを記憶する記憶部と、
前記電力供給情報と前記送信相手先情報とに基づいて、電力不足の地域が送信相手先の地域であるかを判定する地域判定部と、
前記電力供給情報と前記送信予約情報とに基づいて、電力不足となる時間に送信時刻となるか、あるいは送信途中に電力不足の時間となるかを判定する時間判定部と、
送信相手が電力不足となる地域で、電力不足となる時間に送信時刻となる、あるいは送信途中に電力不足の時間になる場合には、前記送信予約情報にかかわらず送信を保留する通信制御部と、
を備えることを特徴とするファクシミリ装置。
【請求項２】
前記地域判定部は、送信相手先のＦＡＸ番号からその地域を割り出すことを特徴とする請求項１に記載のファクシミリ装置。
【請求項３】
前記通信制御部は、前記電力供給情報に電力復帰時刻が含まれていれば、送信相手先の電力復帰時刻以降に送信を再開するように送信予約情報を修正し、該送信予約情報に基づいて送信を開始することを特徴とする請求項１又は２に記載のファクシミリ装置。
【請求項４】
前記通信制御部は、送信保留後に電力復帰時刻が含まれている前記電力供給情報が入力され、その時点で電力復帰時刻になっていた場合には、送信を開始することを特徴とする請求項３に記載のファクシミリ装置。
【請求項５】
前記通信制御部は、送信保留後に電力復帰時刻が含まれている前記電力供給情報が複数回入力された場合、その時点で電力復帰時刻になっていた場合には、確実に送信完了できる時間に送信を開始することを特徴とする請求項３に記載のファクシミリ装置。
【発明の詳細な説明】
【技術分野】
【０００１】
本発明は、停電のような電力供給が停止あるいは不足することが予測される状態において、通信エラーを起こさないように対処可能なファクシミリ装置に関する。
【背景技術】
【０００２】
従来のファクシミリ装置では、ファクシミリ通信中に受信側装置が停電等で装置への電源供給が遮断された場合、送信側装置は受信側装置の電源供給が遮断されてしまったことを知ることができず、単なる通信エラーとして処理するため、送信側装置は所定回数の再送信（再発信）を実行していた。しかし、この状態では、何度再送信を行なっても、受信側装置の電源供給が再度行なわれない限り通信エラーとなるばかりで不都合が生じていた。
【０００３】
特許文献１には、停電検出手段によって停電状態と判断された場合には、送信を禁止し、バックアップされたメモリへの受信のみを行なうファクシミリ装置が開示されている。
【先行技術文献】
【特許文献】
【０００４】
【特許文献１】特開平６−３１１２８５号公報
【発明の概要】
【発明が解決しようとする課題】
【０００５】
しかし、特許文献１のファクシミリ装置では，送信相手先の電力供給状況に応じた制御については何ら考慮されておらず、しかもその電力供給状況やいつ頃停電になる等を確認するためには電話等手動で確認するしかなく、非常に手間を要していた。また、受信側装置の電力供給が停止あるいは不足する状態で、送信途中で通信エラーが生じてしまう事態では、それまでの送信が全く無駄になることもあった。
【０００６】
本発明は、斯かる実情に鑑み、電力供給停止状態が発生すると予測された場合、通信が遮断され送信が途切れてしまう通信エラーの発生を抑えることのできるファクシミリ装置を提供することを目的とする。
【課題を解決するための手段】
【０００７】
本発明は、送信データを公衆回線を介して指定された相手先へ送信を行なうファクシミリ装置において、
電力供給が不足する地域とその開始時刻を含む電力供給情報と、相手先の地域を含む送信相手先情報と、送信開始時刻を含む送信予約情報とを記憶する記憶部と、前記電力供給情報と前記送信相手先情報とに基づいて、電力不足の地域が送信相手先の地域であるかを判定する地域判定部と、前記電力供給情報と前記送信予約情報とに基づいて、電力不足となる時間に送信時刻となるか、あるいは送信途中に電力不足の時間となるかを判定する時間判定部と、送信相手が電力不足となる地域で、電力不足となる時間に送信時刻となる、あるいは送信途中に電力不足の時間になる場合には、前記送信予約情報にかかわらず送信を保留する通信制御部と、を備えることを特徴とする。
【０００８】
前記地域判定部は、送信相手先のＦＡＸ番号からその地域を割り出すことを特徴とする。
【０００９】
前記通信制御部は、前記電力供給情報に電力復帰時刻が含まれていれば、送信相手先の電力復帰時刻以降に送信を再開するように送信予約情報を修正し、該送信予約情報に基づいて送信を開始することを特徴とする。
【００１０】
前記通信制御部は、送信保留後に電力復帰時刻が含まれている前記電力供給情報が入力され、その時点で電力復帰時刻になっていた場合には、送信を開始することを特徴とする。
【００１１】
前記通信制御部は、送信保留後に電力復帰時刻が含まれている前記電力供給情報が複数回入力された場合、その時点で電力復帰時刻になっていた場合には、確実に送信完了できる時間に送信を開始することを特徴とする。
【発明の効果】
【００１２】
本発明によれば、電力供給情報を予め入力しておくことで、送信時点で停電状態の場合、あるいは送信データが送信完了しないうちに、相手先が停電してしまう場合には、まずは送信を保留するので、通信中に通信エラーを生じて通話料金が無駄になったり、不完全な印刷をして用紙を無駄にすることがない。また、相手先や外部装置からなどから入力された電力供給情報を保存しておいて、それに基づいて自動で送信処理を行うので、ユーザが設定を行う必要がなく、誤って送信してしまうことがないという利点もある。
また、電力供給が復帰したときに送信を行うようにしているので、確実な送信ができるという優れた効果を奏し得る。
【図面の簡単な説明】
【００１３】
【図１】本実施形態に係るファクシミリ装置によって構築された通信システムの構成図である。
【図２】本実施形態に係るファクシミリ装置の構成を示すブロック図である。
【図３】ファクシミリ装置の発呼側装置と被呼側装置との間におけるファクシミリ通信手順を示すシーケンス図である。
【図４】送信側ファクシミリ装置の動作を示すフローチャートである。
【発明を実施するための形態】
【００１４】
以下、本発明の実施の形態を添付図面を参照して説明する。
【００１５】
図１は、本実施形態に係るファクシミリ装置によって構築された通信システムの構成図である。
このシステムは、ファクシミリ装置１０ａ，１０ｂと、電力供給情報が予め登録されている外部装置（サーバ）５０とから構成される。ファクシミリ装置１０ａは、データ送信側（発呼側）の装置であり、ファクシミリ装置１０ｂは、データ受信側（被呼側）の装置である。ファクシミリ装置１０ａ，１０ｂは、電話回線（一般公衆電話回線）に接続されており、ファクシミリ画像データの送受信が可能となっている。また、外部装置５０は、インターネット等のネットワーク６０を介してファクシミリ装置１０ａに接続されている。
【００１６】
受信側ファクシミリ装置１０ｂは、ある時間帯に停電により電源供給が絶たれるとする。この場合、受信側ファクシミリ装置１０ａは、あらかじめ電力供給情報を取得する。電力供給情報とは、どの地域で、何時から何時までの間停電となるかを示す停電時間を含む電力供給に関する情報である。電力供給情報は、電力供給が遮断される時間を含む情報であるが、これに限らず、電力供給が不足して装置が機能しなくなる可能性のある場合に、その不足する時間を含む情報でもよい。
【００１７】
この電力供給情報を取得する場合は、２種類の方法がある。まず、ユーザが電力供給情報をファクシミリ装置１０ａに直接入力する方法である。もう一つは、外部装置（たとえば配信サーバやパソコンなどの端末装置）５０に電力供給情報が記憶されており、外部装置５０がネットワーク６０を介して送信側ファクシミリ装置１０ａに電力供給情報を送る方法である。
【００１８】
図２は、本実施形態に係るファクシミリ装置の構成を示すブロック図である。ファクシミリ装置１０ａ，１０ｂは共通の構成である。
【００１９】
このファクシミリ装置１０は、送信データである画像データを記録媒体に印刷するプリンタ／コピーや、電話回線を利用した通常のファクシミリとしての機能を有する。
【００２０】
このファクシミリ装置１０は、プリンタ部１１、スキャナ部１２、モデム１３、網制御部１４、通信部１５、ＣＰＵ１６、メモリ１７、クロック１８、操作部１９、スピーカ２０、表示部２１を備えて構成されている。以下、各部について説明する。
【００２１】
プリンタ部１１は、電子写真方式のプリンタ装置を備え、ファクシミリ通信によって受信した原稿画像やスキャナ部１２で読取った原稿画像等のデータをハードコピー（プリントアウト）する。また、サーマル素子を利用したサーマル記録装置として構成されていてもよい。
スキャナ部１２は、原稿読取り手段としての光電変換素子（ＣＣＤ；Charge Coupled Device）を利用したスキャナで、原稿を所定の解像度で読取る。そして、読取った結果、ドットイメージデータを出力する。
【００２２】
モデム１３は、Ｇ３通信の送信信号を回線の伝達に適した形態に変調し、また、回線から送られてきた変調信号を復調する。このモデム１３は、網制御部（ＮＣＵ：Network Control Unit）１４を介して公衆電話回線と接続されている。
網制御部１４は、アナログの公衆電話回線網（ＰＳＴＮ）との回線の閉結及び開放の回線制御動作を行うハードウェアであり、必要に応じてモデム１３を公衆電話回線網と接続する。つまり、この網制御部１４は、Ｇ３通信プロトコルに従って画像データの送・受信及び制御信号の送・受信を行うとともに、自動発・着呼処理を行う。
【００２３】
通信部１５は、インターネット経由による外部装置（サーバ）５０との送受信通信を行うために、ＬＡＮ（Local Area Network）６０と接続するためのものである。
【００２４】
ＣＰＵ１６は、ファクシミリ装置１０の全体を統括的に制御する。
このＣＰＵ１６は、通信エラー判定部３０、地域判定部３１、時間判定部３２、符号化部３３，復号化部３４、通信制御部３５などの機能ブロックを備える。
【００２５】
通信エラー判定部３０は、ファクシミリ通信を行った場合に通信エラーが生じているかを判定する。
地域判定部３１は、受信側装置が存在する地域が電力供給情報の該当地域であるかを判定する。
時間判定部３２は、送信時間が電力供給情報の該当時間であるかを判定する。
符号化部３３は、送信データを符号化圧縮し、送信符号化データを形成する。ファクシミリ通信で一般に使用されている、ＭＨ（Modified Hufman）、ＭＲ（Modified READ）、ＭＭＲ（Modified Modified READ）、及びＪＢＩＧなどの符号化方式を用いることができる。
復号化部３４は、受信符号化データを復号し、元のデータに復号再生する。
通信制御部３５は、通信に関する各部を制御する。
【００２６】
メモリ１７は、ＲＯＭなどの不揮発性のメモリや、バックアップされた揮発性のメモリなどから成り、各情報を保存する。その情報は、送信データ３７、送信予約情報３８、送信相手先情報（ＦＡＸ番号・地域関連付け情報）３９、電力供給情報（停電地域・停電時間情報）４０である。
【００２７】
送信データ３７は、スキャナ部１２で読み取った画像データや、ネットワークから入力された画像データなどのファクシミリ送信データである。
送信予約情報３８は、送信相手への送信データの送信開始時刻に関する予約情報である。送信開始時刻は、ユーザ設定も可能であるが、通常は複数の送信予約が入った場合などでは、その送信順にＣＰＵ１６の通信制御部３５が設定する。
送信相手先情報３９は、送信相手先のＦＡＸ番号や、ＦＡＸ番号の市外局番に基づく送信相手先の地域に関する情報である。
電力供給情報４０は、電話回線やネットワーク、あるいはユーザ入力による停電地域とその停電時間（停電開始時刻、停電終了時刻（電力復帰情報））に関する情報である。
【００２８】
クロック１８は、時間を計測する。
操作部１９は、ファクシミリ装置１０への操作入力を行うものであり、テンキー４１や決定キー４２などの入力キーから構成される。
【００２９】
スピーカ２０は、ユーザに音声で操作ガイドなどを行ったり、異常報知を行うためのものである。
表示部２１は、液晶表示装置（ＬＣＤ）又はＣＲＴディスプレイ等の表示装置であり、動作状態、送信先、操作指示などを表示する。表示部２１及び操作部１９を一体としたタッチパネル方式のものも考えられる。
【００３０】
次に、図１のファクシミリ装置１０ａ，１０ｂ間での通信手順について説明する。
図３は、ファクシミリ装置の発呼側装置（送信側装置）１０ａと被呼側装置（受信側装置）１０ｂとの間におけるファクシミリ通信手順を示すシーケンス図である。発呼側装置と被呼側装置は、ＩＴＵ−Ｔ勧告Ｖ．２１に規定される手順にて通信（Ｇ３通信）を行うものとするが、これに限定されるわけではない。
【００３１】
発呼側装置１０ａから被呼側装置１０ｂに対してデータを送信する場合、最初に発呼側装置１０ａから被呼側装置１０ｂ対し、ダイヤリングが行われて通信接続し、コーリングトーン（ＣＮＧ：Calling Tone）が送信される。
【００３２】
被呼側装置１０ｂがＩＴＵ−Ｔ勧告のＶ．２１の手順に従う装置であれば、被呼側装置１０ｂは、発呼側装置１０ａからのコーリングトーンを検出すると、まず被呼局識別信号（ＣＥＤ：Called Station Identification signal）を送出し、続いて、自装置の製造メーカ情報を含む非標準機能信号（ＮＳＦ：Non-Standard Facilities signal）と、自装置の電話番号を含む被呼装置識別信号（ＣＳＩ：Called Subscriber Identification signal）と、伝送速度や最大受信幅などの自装置の性能情報を含むデジタル識別信号（ＤＩＳ：Digital Transmit Command signal）とを送出することによって、自装置の機能を発呼側装置１０ａへ知らせる。
【００３３】
すると、これらの信号に応答して、発呼側装置１０ａが、自装置の電話番号を含む送信装置識別信号（ＴＳＩ：Transmitting Subscriber Identification signal）と、伝送速度や最大受信幅などの自装置の性能情報を含むデジタル命令信号（ＤＣＳ：Digital Command Signal）とを送出することによって、自装置の機能を被呼側装置１０ｂへ知らせる。自装置の製造メーカ情報を含む非標準手順信号（ＮＳＳ：Non-Standard facilities Set-up）も被呼側装置へ知らせる場合がある。
【００３４】
続いて、発呼側装置１０ａから送信されたトレーニングチェック信号（ＴＣＦ：Training Check signal）を被呼側装置１０ｂが受信すると、受信準備確認信号（ＣＦＲ：Confirmation to Receive signal）が被呼側装置１０ｂから発呼側装置１０ａに返信される。
【００３５】
発呼側装置１０ａは、被呼側装置１０ｂからＣＦＲ信号を受信後、被呼側装置１０ｂに対して、画像のデータ（ＰＩＸ）を１ページ分ずつ送信する。全ての符号化データの送信が終了すると、被呼側装置１０ｂに手順終了信号（ＰＰＳ−ＥＯＰ）を送信する。全ページ分の画像のデータを受信したことを被呼側装置１０ｂが確認すれば、メッセージ確認信号（ＭＣＦ：Message Confirmation Signal）が被呼側装置１０ｂから発呼側装置１０ａに返信される。
最後に、切断命令信号ＤＣＮ（Disconnect signal）が発呼側装置１０ａから送信されて被呼側装置１０ｂで受信されると、ファクシミリ通信が終了する。
【００３６】
この様な各信号およびデータを送受するための制御は、発呼側および被呼側のファクシミリ装置のいずれにおいてもＣＰＵ１６によって行われる。
【００３７】
上記通信手順は、ＩＴＵ−Ｔ勧告Ｖ．２１に規定される手順であったが、ＩＴＵ−Ｔ勧告Ｖ．８に規定される手順でも通信（スーパーＧ３通信）してもよい。たとえば、送信側と受信側のファクシミリ装置が、スーパーＧ３対応とする。その場合は、発呼側装置１０ａからＣＮＧ信号が被呼側装置１０ｂに送信されると、被呼側装置１０ｂはＡＮＳａｍ信号を送信し、発呼側装置１０ａがＡＮＳａｍ信号を受信することで、Ｖ．８手順が開始される。従って、電力供給情報はそれ以降に送信される。
【００３８】
また、送受信のファクシミリ装置の片方がＧ３対応で、他方がスーパーＧ３の対応の場合もあり、そのときはＶ．２１対応であることを示す信号を相手に送り、Ｇ３通信が行われる。この場合には、停電信号は、Ｖ．２１対応であることを示す信号が送信され、Ｇ３通信が開始されてから送信される。
【００３９】
図４のフローチャートを用いて送信側ファクシミリ装置１０ａの動作を説明する。
新規の電力供給情報、送信相手先情報、送信予約情報が入力された場合の処理である。
【００４０】
ＣＰＵ１６の通信制御部３５は、新規の電力供給情報があるかどうかを確認する（ステップＳ１１）。これは、ＬＡＮ６０を介して通信部１５に外部装置５０から入る場合もあるし、電話回線を介して網制御部１４に入る場合もある。新規の電力供給情報がなければ（ステップＳ１１；ＮＯ）、ユーザによる電力供給情報の手入力要求があるかを確認する（ステップＳ１２）。手入力要求がなければ（ステップＳ１２；ＮＯ）、通信制御部３５は、ユーザによる新規送信予約要求（送信相手先情報の入力要求）があるかを確認する（ステップＳ１３）。新規の送信予約要求がなければ（ステップＳ１３；ＮＯ）、時間判定部３２は、メモリ１７に記憶されている送信予約情報３８に基づいて、送信予約時刻になったかを判定する（ステップＳ１４）。
【００４１】
送信予約時刻になっていれば（ステップＳ１４；ＹＥＳ）、ＣＰＵ１６の通信制御部３５は、メモリ１７に記憶されている送信データ３７の中から該当するデータを符号化部３３により符号化させて、モデム１３、網制御部１４によりファクシミリ送信処理を行う（ステップＳ１５）。そして、通信エラー判定部３０が送信が成功したかを確認し（ステップＳ１６）、通信エラーが出て不成功であれば（ステップＳ１６；ＮＯ）、通信制御部３５は、１分後に再送信するようにメモリ１７に送信予約情報３８として保存し（ステップＳ１７）、ステップＳ１１に戻る。
【００４２】
通信エラーが出ないで送信成功であれば（ステップＳ１６；ＹＥＳ）、送信成功した送信データ３７と送信予約情報３８とをメモリ１７から消去し（ステップＳ１８）、ステップＳ１１に戻る。
【００４３】
新規の電力供給情報があれば（ステップＳ１１；ＹＥＳ）、通信制御部３５が新規電力供給情報を取得してメモリ１７の電力供給情報４０に記憶する（ステップＳ１９）。通信制御部３５は、電力復帰時刻が分からずに送信時刻未定になっている送信予約先の地域の電力復帰情報があるかを確認し（ステップＳ２０）、その情報があれば（ステップＳ２０；ＹＥＳ）、停電終了時刻（電力復帰情報）以降に送信開始するようにメモリ１７の送信予約情報３８を修正する（ステップＳ２１）。なお、既に電力復帰していれば直ちに送信を開始すべく、１分後に送信するように送信予約情報３８を修正する。この送信開始に関しては１分後に限られることではなく、任意に設定できるものである。また、複数の送信データがあれば、その送信順に送信開始時刻を設定する。その後、ステップＳ１１に戻る。
また、電力復帰情報がなければ（ステップＳ２０；ＮＯ）、ステップＳ１１に戻る。
【００４４】
通信制御部３５は、電力供給情報の手入力の要求があれば（ステップＳ１２；ＹＥＳ）、ユーザが操作部１９を用いて手入力する電力供給情報（停電地域および停電時間）をメモリ１７の電力供給情報４０に保存する（ステップＳ２２）。
【００４５】
新規の送信予約の要求があった場合（ステップＳ１３；ＹＥＳ）、ユーザが操作部１９を用いて入力した送信予約情報（相手先ＦＡＸ番号）、あるいは通信部１５を介して入力された送信予約情報（相手先ＦＡＸ番号）をメモリ１７に送信予約情報３８として保存する（ステップＳ２３）。通信制御部３５は、スキャナ部１２に送信原稿をスキャンさせ、あるいは外部から通信部１５を介して入力された送信データを取得し、メモリ１７に送信データ３７として保存する（ステップＳ２４）。それと同時にメモリ１７に送信予約情報３８と送信相手先情報３９を保存する。
【００４６】
地域判定部３１は、送信相手先情報３９の新規送信先のＦＡＸ番号が、電力供給情報４０の停電対象地域に該当しないかを判定する（ステップＳ２５）。例えば、ＦＡＸ番号の市外局番などから地域を特定し、電力供給情報４０の停電対象地域に該当するかを判断する。
停電対象地域でなければ（ステップＳ２５；ＮＯ）、ステップＳ１５に進む。
停電対象地域のものであれば（ステップＳ２５；ＹＥＳ）、時間判定部３２は電力供給情報４０の停電時間から送電開始時刻に停電対象地域が停電中であるかを判定する（ステップＳ２６）。
【００４７】
停電中であれば（ステップＳ２６；ＹＥＳ）、通信制御部３５は、メモリ１７の電力供給情報４０に停電終了時刻（あるいは電力復帰時刻）は保存されているかを確認する（ステップＳ２８）。
【００４８】
保存されていなければ（ステップＳ２８；ＮＯ）、通信制御部３５は送信時刻未定としてメモリ１７の送信予約情報３８に保存し（ステップＳ２９）、ステップＳ１１に戻る。
保存されていれば（ステップＳ２８；ＹＥＳ）、通信制御部３５は停電終了時刻以降を送信開始時刻としてメモリ１７の送信予約情報３８に保存し（ステップＳ３０）、ステップＳ１１に戻る。
【００４９】
停電中でなければ（ステップＳ２６；ＮＯ）、時間判定部３２は、送信データ量のサイズにより停電開始までに送信完了が可能かを確認する。
送信可能なサイズであれば（ステップＳ２７；ＹＥＳ）、ステップＳ１５に進む。
送信可能なサイズでなければ（ステップＳ２７；ＮＯ）、ステップＳ２８に進む。
【００５０】
このように送信予約情報の送信開始時刻が停電中、あるいは送信途中で停電となる場合には、送信開始を保留とし、送信開始時刻を停電終了後の電力復帰のときにするか、それが不明なときは送信開始を保留し続ける。
【００５１】
ここで、電力供給情報４０が、異なったところから複数入力、あるいは同じところから複数回入力される場合がある。このとき停電開始時刻と停電終了時刻が同じであれば良いが、異なっている場合があり得る。たとえば外部装置５０からの情報と、ユーザが入力した情報が異なる場合があり得る。このような場合は、通信制御部３５は、どの情報に基づいても、確実に電力復帰している時間に送信を開始するように送信予約を行う。しかし、複数の情報の停電時間があまりに異なって送信予約の設定が困難である場合には、表示部２１に送信予約が困難である旨を表示し、送信予約を保留することもできる。また、より新しい情報の方を真として判定してもよい。
【００５２】
こうして、電力供給情報を予め入力しておくことで、送信時点で停電状態の場合、あるいは送信データが送信完了しないうちに、相手先が停電してしまう場合には、まずは送信を保留する。従って、通信中に通信エラーを生じて通話料金が無駄になったり、印刷をして用紙を無駄にすることがない。また、相手先や外部装置からなどから入力された電力供給情報を保存しておいて、それに基づいて自動で送信処理を行うので、ユーザが設定を行う必要がなく、誤って送信してしまうことがないという利点もある。
また、電力供給が復帰したときに送信を行うようにしているので、確実な送信ができる。
【００５３】
以上、この発明の実施形態を、図面を参照して詳述してきたが、具体的な構成はこの実施形態に限られるものではなく、この発明の要旨を逸脱しない範囲の設計等も特許請求の範囲に含まれる。
例えば、本実施形態は、相手先のファクシミリ装置が停電になる場合を想定しているが、送信側のファクシミリ装置が停電になる場合も同様に送信を保留することができる。
【符号の説明】
【００５４】
１０，１０ａ，１０ｂ  ファクシミリ装置
１１  プリンタ部
１２  スキャナ部
１３  モデム
１４  網制御部
１５  通信部
１６  ＣＰＵ
１７  メモリ
１８  クロック
１９  操作部
２０  スピーカ
２１  表示部
３０  通信エラー判定部
３１  地域判定部
３２  時間判定部
３３  符号化部
３４  復号化部
３５  通信制御部
３７  送信データ
３８  送信予約情報
３９  送信相手先情報
４０  電力供給情報
４１  テンキー
４２  決定キー
５０  外部装置
６０  ネットワーク／ プリンタ
【図２】
2013118541.tif 000003
【図３】
2013118541.tif 000004
【図４】
2013118541.tif 000005
【図１】
2013118541.tif 000006